(57)【要約】【課題】  校正作業を容易にし、校正費用を低減できる濁度計校正装置を実現する。【解決手段】  測定槽の下部から測定液を流入し、測定槽の上部から測定液をオーバーフローして形成した測定液面に、光源より光を照射し、散乱した散乱光を検出素子で検出することによって前記測定液の濁度の校正を求める濁度計校正装置において、  前記測定槽の上縁に沿ってリング状に設けられ所定厚さを有する校正リングを具備したことを特徴とする濁度計校正装置である。【選択図】                    図１
2005351831.tif 000002
【特許請求の範囲】
【請求項１】
測定槽の上部から測定液をオーバーフローして形成した測定液面に、光源より光を照射し、散乱した散乱光を検出素子で検出することによって前記測定液の濁度の校正を求める濁度計校正装置において、
前記測定槽の上縁に沿ってリング状に設けられ所定厚さを有する校正リング
を具備したことを特徴とする濁度計校正装置。
【請求項２】
前記校正リングの所定厚さは、測定液を所定状態で流した際の測定液の盛り上がり高さと前記測定槽の上部の面の高さから決定されたこと
を特徴とする請求項１記載の濁度計校正装置。
【請求項３】
前記校正リングは、ポリエステル材よりなること
を特徴とする請求項１又は請求項２記載の濁度計校正装置。
【請求項４】
前記校正リングは、黒色であること
を特徴とする請求項１乃至請求項３の何れかに記載の濁度計校正装置。
【請求項５】
前記校正リングの前記測定槽への取付け面に設けられた接着層
を具備したことを特徴とする請求項１乃至請求項４の何れかに記載の濁度計校正装置。
【発明の詳細な説明】
【技術分野】
【０００１】
本発明は、校正作業を容易にし、さらに校正費用を低減できる濁度計校正装置に関するものである。
【背景技術】
【０００２】
濁度計校正装置に関連する先行技術文献としては次のようなものがある。
【０００３】
【特許文献１】特開平８−２１７９５号公報
【０００４】
図２は従来より一般に使用されている従来例の要部構成説明図である。
１は測定槽で、下部から測定液が流入され、測定槽の上部から測定液がオーバーフローして排出される。
測定液がオーバーフローした測定液面は、鏡面になっていて、光源２（以下、ランプ２という）から集光レンズ３で集光された光が照射される。
【０００５】
測定液面に入射した光は、一部が測定液を透過し、一部がスネルの法則に基づいて反射するが、測定液中に散乱成分があると乱反射が生じる。
４は測定液面で乱反射した光を集光する集光レンズ、５は集光レンズ４で捕らえた光を電圧に変換する濁度素子、６は濁度素子５から入力した電圧を増幅する増幅器で、入力した電圧から濁度に比例した信号ＳMをＣＰＵ（図示せず）に出力する。
【０００６】
７はランプ２の照度を測定する比較素子で、ランプ２の照度を電圧に変換し、増幅器８に出力する。
増幅器８は、比較素子７から入力した電圧を増幅し、信号ＳRをＣＰＵに出力する。
散乱光は、ランプ２の照度の変化によって影響を受けるので、ランプ２は、比較素子７が受光する光量が一定になるようにランプ２に供給する電圧が制御される。
【０００７】
この場合の、装置の校正作業時には、従来は、サンプル液測定時と同量、例えば、毎分２０Ｌの濁度標準液を流し、その指示値を用いて校正をしていた。
【発明の開示】
【発明が解決しようとする課題】
【０００８】
濁度標準液のうち、特にＰＳＬ濁度標準液は大変高価なため、１回の校正作業で約￥３００万の費用が必要である。
また、通常のサンプル液測定時と同量の濁度標準液を流すための特殊な装置、例えば、標準液タンク・ポンプなどが必要になるため、特に，装置が設置されている設置場所での現場校正作業を行うのは現実的には困難である。
【０００９】
なお、測定時・校正時とも所定流量の液体を流さないと正確な濁度指示が得られないため、液流量を減らしたり、あるいは測定槽内に液を溜めるだけでは、正しく校正をすることはできない。
所定流量を流すと測定槽上部の液面が表面張力により盛り上がるが、流量が少ないと盛り上がりの高さが少なくなり、その液面位置の差が測定誤差となってしまうためである。
【００１０】
本発明の目的は、上記の課題を解決するもので、濁度標準液を流さずかつ使用量を最小限に留めることにより、現場における校正作業を容易にし、さらに標準液の費用を低減できる濁度計校正装置を提供することを目的とする。
【課題を解決するための手段】
【００１１】
このような課題を達成するために、本発明では、請求項１の濁度計校正装置においては、
測定槽の上部から測定液をオーバーフローして形成した測定液面に、光源より光を照射し、散乱した散乱光を検出素子で検出することによって前記測定液の濁度の校正を求める濁度計校正装置において、
前記測定槽の上縁に沿ってリング状に設けられ所定厚さを有する校正リングを具備したことを特徴とする。
【００１２】
本発明の請求項２の濁度計校正装置においては、請求項１記載の濁度計校正装置において、
前記校正リングの所定厚さは、測定液を所定状態で流した際の測定液の盛り上がり高さと前記測定槽の上部の面の高さから決定されたことを特徴とする。
【００１３】
本発明の請求項３においては、請求項１又は請求項２記載の濁度計校正装置において、
前記校正リングは、ポリエステル材よりなることを特徴とする。
【００１４】
本発明の請求項４においては、請求項１乃至請求項３の何れかに記載の濁度計校正装置において、
前記校正リングは、黒色であることを特徴とする。
【００１５】
本発明の請求項５においては、請求項１乃至請求項４の何れかに記載の濁度計校正装置において、
前記校正リングの前記測定槽への取付け面に設けられた接着層を具備したことを特徴とする。
【発明の効果】
【００１６】
本発明の請求項１によれば、次のような効果がある。
測定槽内のみ標準液を溜めればよいので、標準液の使用量が約１／１００程度に削減できるため、校正費用が大幅に節減できる濁度計校正装置が得られる。
校正時に実際に液を流す必要がないため、ポンプなどの設備が不要となり、現場での校正作業実施が容易に出来る濁度計校正装置が得られる。
【００１７】
測定槽上部のフチにゲタをはかせることにより、測定液面の表面張力状態を再現させ、測定液の流量条件が仕様により変わった場合でも、また校正液が流せない場合でも、正確な指示値を示すようにすることが出来る濁度計校正装置が得られる。
【００１８】
本発明の請求項２によれば、次のような効果がある。
校正リングの所定厚さは、測定液を所定状態で流した際の測定液の盛り上がり高さと測定槽の上部の面の高さから決定されたので、現場合わせとなり、周囲温度、測定槽の状態等の様々なファクターを考慮する必要が無く、現場での校正作業実施が容易に出来る濁度計校正装置が得られる。
【００１９】
本発明の請求項３によれば、次のような効果がある。
校正リングは、ポリエステル材よりなるので、ポリエステル材は市場性があり安価に入手出来るので、安価な濁度計校正装置が得られる。
【００２０】
本発明の請求項４によれば、次のような効果がある。
校正リングは、黒色であるので、不要な反射が少なく、正確な校正が可能な濁度計校正装置が得られる。
【００２１】
本発明の請求項５によれば、次のような効果がある。
接着層が、校正リングの測定槽への取付け面に設けられたので、校正リングが測定槽に容易に正確に取付け出来、校正作業の容易な濁度計校正装置が得られる。
【発明を実施するための最良の形態】
【００２２】
以下本発明を図面を用いて詳細に説明する。
図１は本発明の一実施例の要部構成説明図である。
図において、図２と同一記号の構成は同一機能を表す。
以下図２と相違部分のみ説明する。
【００２３】
図において、校正リング２１は、測定槽１の上縁に沿ってリング状に設けられ所定厚さを有する。
校正リング２１の所定厚さは、この場合は、測定液を所定状態で流したさいの測定液の盛り上がり高さと、測定槽１の上部の面の高さから決定されている。
また、校正リング２１は、この場合は、ポリエステル材よりなる。
【００２４】
また、校正リング２１は、この場合は、黒色である。
また、校正リング２１は、この場合は、測定槽１への取付け面に設けられた接着層２２を有する。即ち、校正リング２１は、ステッカータイプが使用されている。
【００２５】
以上の構成において、図１に示すように、測定槽１の上部のフチに薄いシート、たとえば、厚さ約０．５〜１.０ｍｍの校正リング２１を貼り付け、前述の表面張力による液面盛り上がり高さを調節する。
即ち、ゲタをはかせることにより、測定槽１に液を流すことなく、溜め水状態での濁度指示値を測定液を流した状態と同じに補正に利用する。
【００２６】
この結果、
測定槽１内のみ標準液を溜めればよいので、標準液の使用量が約１／１００程度に削減できるため、校正費用が大幅に節減できる濁度計校正装置が得られる。
校正時に実際に液を流す必要がないため、ポンプなどの設備が不要となり、現場での校正作業実施が容易に出来る濁度計校正装置が得られる。
【００２７】
測定槽１の上部のフチにゲタをはかせることにより、測定液面の表面張力状態を再現させ、測定液の流量条件が仕様により変わった場合でも、また校正液が流せない場合でも、正確な指示値を示すようにすることが出来る濁度計校正装置が得られる。
【００２８】
校正リング２１の所定厚さは、測定液を所定状態で流した際の測定液の盛り上がり高さと測定槽１の上部の面の高さから決定されたので、現場合わせとなり、周囲温度、測定槽１の状態等の様々なファクターを考慮する必要が無く、現場での校正作業実施が容易に出来る濁度計校正装置が得られる。
【００２９】
校正リング２１は、ポリエステル材よりなるので、ポリエステル材は市場性があり安価に入手出来るので、安価な濁度計校正装置が得られる。
【００３０】
校正リング２１は、黒色であるので、不要な反射が少なく、正確な校正が可能な濁度計校正装置が得られる。
【００３１】
接着層２２が、校正リング２１の測定槽１への取付け面に設けられたので、校正リング２１が測定槽１に容易に正確に取付け出来、校正作業が容易な濁度計校正装置が得られる。
【００３２】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００３３】
【図１】本発明の一実施例の要部構成説明図でプラテンの平面図である。
【図２】従来より一般に使用されている従来例の構成説明図である。
【符号の説明】
【００３４】
１        プラテン
２        光源
３        集光レンズ
４        集光レンズ
５        濁度素子
６        増幅器
７        比較素子
８        増幅器
２１      校正リング
２２      接着層
【図１】
2005351831.tif 000003
【図２】
2005351831.tif 000004